(57)【要約】【課題】複数のアクセスポイントを備える無線通信システムにおいて、無線端末装置を最適なアクセスポイントに帰属先させ、高い通信品質を得ることができる無線装置を得る。【解決手段】無線装置は、無線通信手段１と、共有情報保存手段２と、情報共有手段３と、判断手段４と、帰属応答手段５を備えている。通信手段１は、無線端末装置と無線通信を行う。共有情報保存手段２は、無線端末装置から帰属要求を受けた際に、自装置が受信した無線端末装置の無線信号の強度と識別情報と関連づけて第１の共有情報として保存する。情報共有手段３は、他装置が受信した無線端末装置の無線信号の強度と識別情報を関連づけた第２の共有情報を取得し、第１の共有情報に追加する。判断手段４は、第１の共有情報を基に無線端末装置の最適な帰属先を判断する。帰属応答手段５は、最適な帰属先が自装置であった場合に、無線端末装置に帰属応答を送信する。【選択図】      図１
2017022556.tif 000002
【特許請求の範囲】
【請求項１】
無線端末装置と無線通信を行う無線通信手段と、
前記無線端末装置から帰属要求を受けた際に、無線通信手段を介して受信する前記無線端末装置の無線信号の強度を前記無線端末装置の識別情報と関連づけて第１の共有情報として保存する共有情報保存手段と、
他装置が受信した前記無線端末装置の無線信号の強度と前記無線端末装置の識別情報とを関連づけた情報を前記他装置から第２の共有情報として取得し、取得した前記第２の共有情報を前記第１の共有情報に追加する情報共有手段と、
前記第１の共有情報を基に前記無線端末装置の最適な帰属先を判断する判断手段と、
前記無線端末装置の最適な帰属先が自装置であった場合に、前記無線端末装置に帰属応答を送信する帰属応答手段と
を備えることを特徴とする無線装置。
【請求項２】
前記情報共有手段は、自装置が生成した前記第１の共有情報を前記他装置に送信する手段をさらに有することを特徴とする請求項１に記載の無線装置。
【請求項３】
前記共有情報保存手段は、前記無線信号の周波数の情報を前記無線信号の強度および前記無線端末装置の識別情報と関連づけて前記第１の共有情報として保存し、
前記情報共有手段は、前記他装置が受信した前記無線端末装置の無線信号の強度および前記無線端末装置の識別情報と前記無線信号の周波数の情報を関連づけた情報を前記第２の共有情報として前記他装置から取得することを特徴とする請求項１または２いずれかに記載の無線装置。
【請求項４】
前記判断手段は、前記周波数に基づいた重みづけを行って前記第１の共有情報に保存された前記強度の補正値を算出し、前記補正値を基に前記無線端末装置の最適な帰属先を判断することを特徴とする請求項３に記載の無線装置。
【請求項５】
前記判断手段は、前記情報共有手段があらかじめ設定されている全ての前記他装置から送られてくる前記第２の共有情報を前記第１の共有情報に追加したときに、前記無線端末装置の最適な帰属先を判断することを特徴とする請求項１から４いずれかに記載の無線装置。
【請求項６】
請求項１から５いずれかに記載の無線装置からなる第１の無線アクセスポイントと、
請求項１から５いずれかに記載の無線装置からなる第２の無線アクセスポイントと、
前記第１の無線アクセスポイントおよび前記第２の無線アクセスポイントと無線通信を行う無線端末装置とを備え、
前記第１の無線アクセスポイントの前記情報共有手段は、前記第２の無線アクセスポイントが受信する前記無線端末装置の無線信号の強度を取得し、
前記第１の無線アクセスポイントの前記帰属応答手段は、前記無線端末装置の最適な帰属先が自装置であった場合に、前記無線端末装置に帰属応答を送信することを特徴とする無線通信システム。
【請求項７】
無線端末装置から帰属要求を受けた際に、受信した前記無線端末装置の無線信号の強度を前記無線端末装置の識別情報と関連づけて第１の共有情報として保存し、
他装置が受信した前記無線端末装置の無線信号の強度と前記無線端末装置の識別情報とを関連づけた情報を前記他装置から第２の共有情報として取得し、前記他装置から取得した前記第２の共有情報を前記第１の共有情報に追加し、
前記第１の共有情報を基に前記無線端末装置の最適な帰属先を判断し、
前記無線端末装置の最適な帰属先が自装置であった場合に、前記無線端末装置に帰属応答を送信し、
前記無線端末装置と無線通信を行うことを特徴とする通信方法。
【請求項８】
前記無線信号の周波数の情報を前記無線信号の強度および前記無線端末装置の識別情報と関連づけて前記第１の共有情報として保存し、
前記他装置が受信した前記無線端末装置の無線信号の強度および前記無線端末装置の識別情報と前記無線信号の周波数の情報を第２の共有情報として前記他装置から取得することを特徴とする請求項７に記載の通信方法。
【請求項９】
前記周波数に基づいた重みづけを行って前記第１の共有情報に保存された前記強度の補正値を算出し、前記補正値を基に前記無線端末装置の最適な帰属先を判断することを特徴とする請求項８に記載の通信方法。
【請求項１０】
あらかじめ設定されている全ての前記他装置から送られてくる前記第２の共有情報を前記第１の共有情報に追加したときに、前記無線端末装置の最適な帰属先を判断することを特徴とする請求項７から９いずれかに記載の通信方法。
【発明の詳細な説明】
【技術分野】
【０００１】
本発明は、特に無線装置に関するものであり、特に、無線アクセスポイントとしての無線装置への無線端末装置の帰属に関するものである。
【背景技術】
【０００２】
情報処理装置やその周辺機器、映像表示装置など様々な装置がネットワークを介して他の装置あるいはインターネット等とのデータの送受信を行うことで高い機能性を発揮するようになっている。情報処理装置等を無線端末装置として用いた場合には、それらの装置は、様々な場所に設置され、また、持ち運ばれて利用されている。そのため、設置や持ち運びの自由度の向上などのため、家庭や小規模オフィスなどでも無線ＬＡＮ（Local Area Network）システムが広く用いられるようになっている。
【０００３】
家庭等の様々な場所で通信が行われるため、家庭内のような比較的小規模な無線ＬＡＮシステムでも、無線ＬＡＮアクセスポイントが複数、備えられていることも多い。無線ＬＡＮアクセスポイントを複数、備えることで安定して無線通信を行うことのできる領域が広がる。一方で、無線ＬＡＮアクセスポイントを複数、備えると、各無線端末装置は複数の無線ＬＡＮアクセスポイントと通信が可能になり得る。
【０００４】
例えば、家庭内でリビングと寝室とにおいてローミング可能にするため、同一のＳＳＩＤ（Service Set IDentifier）を有する無線ＬＡＮアクセスポイントが、複数、設置されていたとする。そのような環境では、ユーザが、スマートフォン等の無線ＬＡＮ子機、すなわち、無線端末装置をリビングにおいて使用すると、無線端末装置はリビングに設置された無線ＬＡＮアクセスポイントに帰属する。しかし、無線端末装置が、遠方の寝室に設置されている無線ＬＡＮアクセスポイントに帰属することも起こり得る。
【０００５】
そのような場合には、無線端末装置は、近くに電波強度が強く、高い通信品質が期待できる無線ＬＡＮアクセスポイントが設置されているにも関わらず、遠くの電波強度が弱く、低い通信品質の無線ＬＡＮアクセスポイントに帰属する可能性がある。そのため、高い通信品質を得るためには、複数の無線ＬＡＮアクセスポイントがある環境において、無線端末装置をそれぞれ最適な無線ＬＡＮアクセスポイントに帰属させる必要がある。
【０００６】
以上のような背景から、複数の無線ＬＡＮアクセスポイントがある環境において、無線端末装置を高い通信品質が期待される無線ＬＡＮアクセスポイントに確実に帰属させるための技術開発が行われている。そのような、複数の無線ＬＡＮアクセスポイントがある環境において、無線端末装置を高い通信品質が期待される無線ＬＡＮアクセスポイントと接続する技術としては、例えば、特許文献１のような技術が開示されている。
【０００７】
特許文献１は、無線アクセスポイントと無線端末装置をそれぞれ複数、備える無線通信システムに関するものである。特許文献１の無線通信システムの無線アクセスポイントは、無線端末装置からの信号が閾値以下になると、その無線端末装置がローミング対象であると判断する。特許文献１では、ローミング対象となった無線端末装置の識別情報は、無線アクセスポイント間で共有される。特許文献１の各無線アクセスポイントは、ローミング対象となった無線端末装置にそれぞれ所定の信号を送信する。特許文献１の無線端末装置は、各アクセスポンインとから送られてくる信号の強度を基に、帰属先の変更の要否を判断する。特許文献１では、このような方法で無線端末装置の帰属先を定めることで、無線通信環境が悪くなった場合にもローミングを行って良好な無線通信を継続することができるとしている。
【先行技術文献】
【特許文献】
【０００８】
【特許文献１】特開２０１０−３４７４５号公報
【発明の概要】
【発明が解決しようとする課題】
【０００９】
しかしながら、特許文献１の技術は次のような点で十分ではない。特許文献１の無線通信システムでは、各無線アクセスポイントからの信号を基に、無線端末装置が帰属先として最適な無線アクセスポイントを判断している。そのため、異なる判断基準の無線端末装置が無線通信システム内に存在すると、無線端末装置間で互いの無線通信に影響を与え、通信品質の低下を生じることがある。よって、特許文献１の無線通信システムでは、無線通信システムで用いられる全ての無線端末装置が、同一の基準で各無線アクセスポイントの信号を比較し、帰属先を判断する機能を備えている必要がある。
【００１０】
一方で無線ＬＡＮシステムでは、様々な無線端末装置が使用されるため、全ての無線端末装置がそのような同一基準による判断機能を有していないことがある。そのため、特許文献１の技術は、複数のアクセスポイントを備える無線通信システムにおいて、無線端末装置を最適な無線ＬＡＮアクセスポイントに確実に帰属させて、高い通信品質を得るための技術としては十分ではない。
【００１１】
本発明は、上述した課題を解決するため、複数のアクセスポイントを備える無線通信システムにおいて、無線端末装置を最適なアクセスポイントに帰属先させ、高い通信品質を得ることができる無線装置を得ることを目的としている。
【課題を解決するための手段】
【００１２】
上記の課題を解決するため、本発明の無線装置は、無線通信手段と、共有情報保存手段と、情報共有手段と、判断手段と、帰属応答手段を備えている。通信手段は、無線端末装置と無線通信を行う。共有情報保存手段は、無線端末装置から帰属要求を受けた際に、無線通信手段を介して受信する無線端末装置の無線信号の強度を無線端末装置の識別情報と関連づけて第１の共有情報として保存する。情報共有手段は、他装置が受信した無線端末装置の無線信号の強度と無線端末装置の識別情報とを関連づけた情報を他装置から第２の共有情報として取得し、取得した第２の共有情報を第１の共有情報に追加する。判断手段は、第１の共有情報を基に無線端末装置の最適な帰属先を判断する。帰属応答手段は、無線端末装置の最適な帰属先が自装置であった場合に、無線端末装置に帰属応答を送信する。
【００１３】
本発明の通信方法は、無線端末装置から帰属要求を受けた際に、受信した無線端末装置の無線信号の強度を無線端末装置の識別情報と関連づけて第１の共有情報として保存する。本発明の通信方法は、他装置が受信した無線端末装置の無線信号の強度と無線端末装置の識別情報とを関連づけた情報を他装置から第２の共有情報として取得し、取得した第２の共有情報を第１の共有情報に追加する。本発明の通信方法は、第１の共有情報を基に無線端末装置の最適な帰属先を判断する。本発明の通信方法は、無線端末装置の最適な帰属先が自装置であった場合に、無線端末装置に帰属応答を送信する。本発明の通信方法は、無線端末装置と無線通信を行う。
【発明の効果】
【００１４】
本発明によると、複数のアクセスポイントを備える無線通信システムにおいて、無線端末装置を最適なアクセスポイントに帰属先させ、高い通信品質を得ることができる。
【図面の簡単な説明】
【００１５】
【図１】本発明の第１の実施形態の構成の概要を示す図である。
【図２】本発明の第２の実施形態の構成の概要を示す図である。
【図３】本発明の第２の実施形態の通信装置の構成の概要を示した図である。
【図４】本発明の第２の実施形態の動作フローの概要を示した図である。
【図５】本発明の第２の実施形態のデータテーブルの例を示した図である。
【図６】本発明の第２の実施形態の動作シーケンスの概要を示した図である。
【図７】本発明の第３の実施形態の動作フローの概要を示した図である。
【図８】本発明の第３の実施形態のデータテーブルの例を示した図である。
【図９】本発明の第４の実施形態の動作フローの概要を示した図である。
【図１０】本発明の第４の実施形態の動作シーケンスの概要を示した図である。
【発明を実施するための形態】
【００１６】
（第１の実施形態）
本発明の第１の実施形態について図を参照して詳細に説明する。図１は、本実施形態の無線装置の構成の概要を示したものである。本実施形態の無線装置は、無線通信手段１と、共有情報保存手段２と、情報共有手段３と、判断手段４と、帰属応答手段５を備えている。通信手段１は、無線端末装置と無線通信を行う。共有情報保存手段２は、無線端末装置から帰属要求を受けた際に、無線通信手段１を介して受信する無線端末装置の無線信号の強度を無線端末装置の識別情報と関連づけて第１の共有情報として保存する。情報共有手段３は、他装置が受信した無線端末装置の無線信号の強度と無線端末装置の識別情報とを関連づけた情報を他装置から第２の共有情報として取得し、取得した第２の共有情報を第１の共有情報に追加する。判断手段４は、第１の共有情報を基に無線端末装置の最適な帰属先を判断する。帰属応答手段５は、無線端末装置の最適な帰属先が自装置であった場合に、無線端末装置に帰属応答を送信する。
【００１７】
本実施形態の無線装置は、自装置が受信した無線端末装置の無線信号の強度に基づいた第１の共有情報に、他装置が受信した無線端末装置の無線信号の強度に基づいた第２の共有情報を追加した第１の共有情報を共有情報保存手段２に保存している。本実施形態の無線装置では、判断手段４が第１の共有情報を基に無線端末装置の最適な帰属先を判断し、最適な帰属先が自装置であった場合に、帰属応答手段５が無線端末装置に帰属応答を送信している。
【００１８】
最適な帰属先が自装置であった場合に、無線端末装置に帰属応答を送信することで、無線端末装置は、最適な帰属先に帰属して無線通信を行うことができる。そのため、無線端末装置が最適ではない無線装置に帰属することを避けることができ、無線通信において高い通信品質を得ることができる。また、本実施形態では無線装置が無線端末装置の帰属先を決定するので無線端末装置が有している機能や判断基準に依存せずに帰属先を決定することができる。
【００１９】
その結果、本実施形態の無線装置を無線アクセスポイントとして備えることで、複数のアクセスポイントを備える無線通信システムにおいて無線端末装置を最適なアクセスポイントに帰属先させ高い通信品質を得ることができる。
【００２０】
（第２の実施形態）
本発明の第２の実施形態について図を参照して詳細に説明する。図２は、本実施形態の無線通信システムの構成の概要を示したものである。本実施形態の無線通信システムは、第１の無線装置１０と、第２の無線装置２０と、無線端末装置３０を備えている。
【００２１】
本実施形態の無線通信システムは、無線ＬＡＮ（Local Area Network）システムとして構成されている。第１の無線装置１０および第２の無線装置２０は、無線ＬＡＮアクセスポイントとして備えられている。第１の無線装置１０は、ルータとして備えられている。第２の無線装置２０は、ブリッジ・コンバータとして備えられている。無線ＬＡＮアクセスポイントとして備えられている無線装置は３つ以上であってもよい。また、無線端末装置３０は、無線ＬＡＮ子機として備えられている。無線端末装置３０は、複数、備えられていてもよい。
【００２２】
第１の無線装置１０および第２の無線装置２０は、同一の識別情報を有している。本実施形態では、第１の無線装置１０および第２の無線装置２０は、同一の識別情報として同一のＳＳＩＤ（Service Set IDentifier）を有している。第1の無線装置１０および第２の無線装置２０は、互いに接続され、双方向のデータ通信を行うことができる。第1の無線装置１０と第２の無線装置２０の間の通信は、有線の回線を介しての通信でもよく、また、無線通信であってもよい。また、第１の無線装置１０は、外部の通信ネットワークとさらに接続されている。
【００２３】
無線ＬＡＮアクセスポイントである第１の無線装置１０および第２の無線装置２０と、無線ＬＡＮ子機である無線端末装置３０の間の無線通信は、例えば、２．４ＧＨｚの周波数帯で行われる。無線通信の周波数帯は５Ｈｚ等の他の無線周波数帯でもよい。また、第１の無線装置１０および第２の無線装置２０と、無線端末装置３０の間の無線通信の周波数帯は、複数の周波数帯の中から選択されるようにしてもよい。
【００２４】
第１の無線装置１０および第２の無線装置２０の構成について図３を参照して説明する。図３は、本実施形態において第１の無線装置１０および第２の無線装置２０として用いる無線装置４０の構成の概要を示したものである。
【００２５】
図３に示す通り、無線装置４０は、通信部４１と、通信制御部４２と、無線通信部４３と、端末管理部４４を備えている。また、端末管理部４４は、帰属制御部４５と、最適判断部４６と、信号情報共有部４７と、共有情報保存部４８をさらに備えている。
【００２６】
通信部４１は、無線ＬＡＮシステム内の他の通信装置および外部の通信ネットワークと通信を行う機能を有する。本実施形態では、第１の無線装置１０の通信部４１は、他の通信装置である第２の無線装置２０および外部の通信ネットワークと通信と行う。また、第２の無線装置２０の通信部４１は、他の通信装置である第１の無線装置１０と通信を行う。
【００２７】
通信部４１は、他の通信装置および外部の通信ネットワークからそれぞれ受信した信号を、無線装置４０の内部で用いる形式の信号に変換し、通信制御部４２に送る。通信部４１は、通信制御部４２から送られてくる他の通信装置および外部の通信ネットワークに送信する信号を通信規格に基づいた形式の信号にそれぞれ変換する。通信部４１は、通信規格に基づいた形式に変換した信号を他の無線装置または外部の通信ネットワークにそれぞれ送信する。
【００２８】
通信部４１は、他の無線装置と共有を行うデータであるＲＳＳＩ共有データを他の無線装置から受け取ったときに、受け取ったデータを通信制御部４２に送る。また、通信部４１は、他の無線装置に送るＲＳＳＩ共有データを通信制御部４２から受け取ると、受け取ったデータを無線通信システム内の他の無線装置にブロードキャストで送信する。
【００２９】
ＲＳＳＩ共有データとは、無線端末装置３０の識別情報と、無線端末装置３０から受信した無線信号の強度と、自装置の識別情報を関連づけたデータのことをいう。本実施形態では、無線端末装置３０および自装置の識別情報には、それぞれのＭＡＣ（Media Access Control）アドレスが用いられる。また、無線端末装置３０の無線信号の強度にはＲＳＳＩ（Received Signal Strength Indication）値が用いられる。無線装置４０は自装置でＲＳＳＩ共有データを第１の共有情報として生成すると、他装置に第１の共有情報、すなわち、自装置で生成したＲＳＳＩ共有データを送信する。また、他装置が受信した無線端末装置３０の無線信号の強度等を基に生成したＲＳＳＩ共有データを第２の共有情報として受信すると、第２の共有情報を第１の共有情報に追加する。すなわち、各無線装置４０は、自装置が生成したＲＳＳＩ共有データに、他装置が生成したＲＳＳＩ共有データを追加したＲＳＳＩ共有データを生成する。その結果、各無線装置４０は、互いに共通のＲＳＳＩ共有データを有することができる。
【００３０】
通信制御部４２は、無線装置４０の制御全般を行う機能を有する。通信制御部４２は、他の無線装置、無線端末装置３０および外部の通信ネットワークから受信したデータ信号の宛先を判断し、宛先に応じた送信先にデータ信号の転送を行う。また、通信制御部４２は、無線端末装置３０から送られてくる帰属要求を示す信号を検知すると、帰属要求の情報を端末管理部４４の帰属制御部４５に端末管理部制御信号Ｓ４１として送る。
【００３１】
通信制御部４２は、帰属要求の情報と、無線端末装置３０の識別情報および無線端末装置３０から受信した無線信号の強度の情報を端末管理部制御信号Ｓ４１として帰属制御部４５に送る。本実施形態では、無線端末装置３０の識別情報には、無線端末装置３０のＭＡＣアドレスが用いられる。また、無線端末装置３０から受信した無線信号の強度の情報には、無線信号のＲＳＳＩ値（が用いられる。
【００３２】
通信制御部４２は、端末管理部４４の帰属制御部４５から端末管理部応答信号Ｓ４２として送られてくる他の無線装置と共有を行うデータであるＲＳＳＩ共有データを、通信部４１を介して他の無線装置に送る。通信制御部４２は、他の無線装置からのＲＳＳＩ共有データを受け取ると、受け取ったデータを端末管理部４４の帰属制御部４５に端末管理部制御信号Ｓ４１として送る。
【００３３】
また、通信制御部４２は、無線端末装置３０の帰属先として自装置が選択されたことを示す帰属応答の情報を、端末管理部４４の帰属制御部４５から端末管理部応答信号Ｓ４２として受け取ると、無線通信部４３を介して無線端末装置３０に送信する。
【００３４】
無線通信部４３は、無線端末装置３０と無線通信を行う機能を有する。無線通信部４３は、無線端末装置３０から受け取った無線信号を無線装置４０の内部で用いる信号の形式に変換して通信制御部４２に送る。また、無線通信部４３は、通信制御部４２から受け取ったデータ等を無線信号に変換して無線端末装置３０に送る。無線通信部４３は、無線端末装置３０等に通信制御用のビーコンの送信を行う。無線通信部４３は、無線信号を受信した際に、無線信号の強度の情報を通信制御部４２に送る。また、無線通信部４３は、第１の実施形態の無線通信手段１に相当する。
【００３５】
端末管理部４４は、無線端末装置３０の帰属先を判断する機能と判断に使用するＲＳＳＩ共有データを管理する機能を有する。
【００３６】
帰属制御部４５は、無線端末装置３０の帰属先を判断する際の動作を制御する機能を有する。帰属制御部４５は、通信制御部４２から帰属要求の情報を端末管理部制御信号Ｓ４１として受け取ると、無線信端末装置３０の帰属先の判断に関する動作を開始する。
【００３７】
帰属先の判断に関する動作を開始すると、帰属制御部４５は、無線端末装置３０の帰属先の判断を要求する情報と、無線端末装置３０の識別情報であるＭＡＣアドレスの情報を判断部制御信号Ｓ４３として最適判断部４６に送る。また、帰属制御部４５は、無線端末装置３０から送られてくる無線信号の強度の情報であるＲＳＳＩ値を、信号強度信号Ｓ４５として信号情報共有部４７に送る。また、帰属制御部４６は、第１の実施形態の帰属応答手段５に相当する。
【００３８】
帰属制御部４５は、他の無線装置から送られてきたＲＳＳＩ共有データを通信制御部４２から端末管理部制御信号Ｓ４１として受け取ると、受け取ったデータを判断部制御信号Ｓ４３として最適判断部４６に送る。また、帰属制御部４５は、最適判断部４６から帰属制御応答信号Ｓ４４として他の無線装置に送るためのＲＳＳＩ共有データ受け取ると、受け取ったデータを端末管理部応答信号Ｓ４２として通信制御部４２に送る。
【００３９】
帰属制御部４５は、最適判断部４６から自装置が無線端末装置３０の最適な帰属先であることを示す帰属制御応答信号Ｓ４４を受け取ると、帰属応答の情報を生成し、帰属応答の情報を通信制御部４２に端末管理部応答信号Ｓ４２として送る。
【００４０】
最適判断部４６は、無線端末装置３０の最適な帰属先を判断する機能を有する。最適判断部４６は、無線端末装置３０からの帰属要求に応じて、無線端末装置３０の帰属先を判断する。最適判断部４６は、帰属制御部４５から判断部制御信号Ｓ４３として帰属要求を受け取ると、帰属先の判断を開始する。
【００４１】
最適判断部４６は、帰属先の判断を行う際に、無線信号の強度等の情報を収集する要求を情報共有部制御信号Ｓ４６として信号情報共有部４７に送る。最適判断部４６は、信号情報共有部４７から共有情報信号Ｓ４７として送られてくる無線信号の強度等の情報であるＲＳＳＩ共有データを基に、無線端末装置３０の帰属先を判断する。
【００４２】
最適判断部４６は、無線端末装置３０の帰属先として自装置を選択したときに、自装置が最適な帰属先であることを示す情報を帰属制御応答信号Ｓ４４として帰属制御部４５に送る。本実施形態の無線通信システムでは、最適判断部４６は、無線端末装置３０の帰属先として第１の無線装置１０と、第２の無線装置２０のどちらが適しているかを判断する。
【００４３】
最適判断部４６は、信号共有部４７が生成した自装置のＲＳＳＩ共有データを他の無線装置に送信するために帰属制御部４５に帰属制御応答信号Ｓ４４として送る。また、最適判断部４６は、帰属制御部４５から受け取った他の無線装置のＲＳＳＩ共有データを、情報共有部制御信号Ｓ４６として信号情報共有部４７に送る。また、最適判断部４６は、第１の実施形態の判断手段４に相当する。
【００４４】
信号情報共有部４７は、無線信号の強度に関する情報を管理する機能を有する。信号情報共有部４７は、帰属制御部４５から信号強度情報Ｓ４５として無線信号の強度の情報であるＲＳＳＩ値の情報を受け取ると、ＲＳＳＩ値を共有情報保存部４８に保存する。信号情報共有部４７は、無線信号の強度に関する情報を、無線信号の強度であるＲＳＳＩ値、自装置のＭＡＣアドレスおよび無線端末装置３０のＭＡＣアドレスを関連付けてＲＳＳＩ共有データとして共有情報保存部４４に保存する。
【００４５】
信号情報共有部４７は、最適判断部４６から情報共有部制御信号Ｓ４６として送られてくる他の無線装置が生成したＲＳＳＩ共有データを共有情報保存部４８に保存する。また、信号情報共有部４７は、第１の実施形態の情報共有手段３に相当する。
【００４６】
共有情報保存部４８は、無線信号の強度に関する情報としてＲＳＳＩ共有データを保存する機能を有する。共有情報保存部４８は、ＲＳＳＩ値、自装置のＭＡＣアドレスおよび無線端末装置３０のＭＡＣアドレスの情報をＲＳＳＩ共有データとして保存する。また、本実施形態の共有情報保存部４８は、第１の実施形態の共有情報保存手段２に相当する。
【００４７】
無線端末装置３０は、第１の通信装置１０および第２の通信装置２０と無線通信を行う機能を有する。無線端末装置３０は、例えば、無線ＬＡＮ通信機能付きのスマートフォンやタブレット型情報端末が用いられる。無線端末装置３０は、無線ＬＡＮ通信機能付きの情報処理装置、情報処理装置の周辺装置、映像表示機器、家庭用電気機器などであってもよい。また、無線端末装置３０は、ＮＩＣ（Network Interface Card）として情報処理装置、情報処理装置の周辺装置、映像表示機器、家庭用電気機器などに備えられているものであってもよい。
【００４８】
本実施形態の無線端末装置３０は、帰属要求を無線送信し、帰属応答を応答してきた無線装置との接続を確立してデータ通信等を行う。すなわち、本実施形態の無線端末装置３０は、第１の無線装置１０および第２の無線装置２０のうち、帰属応答の送信元の無線装置に帰属して無線通信を行う。
【００４９】
本実施形態の無線通信システムにおいて、第１の無線装置１０または第２の無線装置２０のいずれかが無線端末装置３０の帰属先として決定される際の動作について説明する。図４は、本実施形態の無線通信システムにおいて、無線端末装置３０の帰属先が決定される際の動作フローの概要を示したものである。
【００５０】
無線端末装置３０は、無線通信システム内で稼働を開始すると、帰属要求信号をブロードキャストで送信する。無線端末装置３０から帰属要求信号が送信されると、第１の無線装置１０および第２の無線装置２０は、帰属要求信号をそれぞれ受信する（ステップ１０１）。
【００５１】
第１の無線装置１０および第２の無線装置２０の無線通信部４３は、帰属要求信号を受信すると受け取った信号を通信制御部４２に送る。受け取った信号が帰属要求信号であることを検知すると、通信制御部４２は、帰属要求信号を端末管理部４４の帰属制御部４５に端末管理部制御信号Ｓ４１として送る。
【００５２】
帰属制御部４５は、帰属要求の情報を示す端末管理部制御信号Ｓ４１を受け取ると、通信端末装置３０の帰属先の決定処理を開始する（ステップ１０２）。帰属制御部４５は、帰属要求の情報を示す端末管理部制御信号Ｓ４１を受け取ると、帰属要求の情報を判断部制御信号Ｓ４３として最適判断部４６に送る。最適判断部４６は、帰属要求の情報を示す判断部制御信号Ｓ４３を受け取ると、信号情報共有部４７にＲＳＳＩ共有情報の生成を要求する信号を情報共有部制御信号Ｓ４６として送る。
【００５３】
帰属制御部４５は、帰属要求を示す判断部制御信号Ｓ４３を最適判断部４６に送ると、無線信号の強度の情報を信号強度信号Ｓ４５として信号情報共有部４７に送る。帰属制御部４５は、通信制御部４３を介して受け取った無線端末装置３０から送られてくる無線信号の強度、すなわち、ＲＳＳＩ値を信号情報共有部４７に送る。
【００５４】
信号情報共有部４７は、情報共有部制御信号Ｓ４６および信号強度信号Ｓ４５を受け取ってＲＳＳＩ値等を取得すると（ステップ１０３）、受け取ったＲＳＳＩ値のデータ等を基に、ＲＳＳＩ共有データを生成する（ステップ１０４）。信号情報共有部４７は、ＲＳＳＩ共有データを生成すると、生成したデータを共有情報保存部４８に保存する。信号情報共有部４７は、ＲＳＳＩ値と、自装置のＭＡＣアドレスと、無線端末装置３０のＭＡＣアドレスを関連づけてＲＳＳＩ共有データを生成する。
【００５５】
ＲＳＳＩ共有データを保存すると、信号情報共有部４７は、生成したＲＳＳＩ共有データを最適判断部４６に共有情報信号Ｓ４７として送る。最適判断部４６は、共有情報信号Ｓ４７としてＲＳＳＩ共有データを受け取ると、受け取ったデータを帰属制御応答信号Ｓ４４として帰属制御部４５に送る。帰属制御部４５は、帰属制御応答信号Ｓ４４としてＲＳＳＩ共有データを受け取ると、受け取ったデータを端末管理部応答信号Ｓ４２として通信制御部４２に送る。
【００５６】
通信制御部４２は、端末管理部応答信号Ｓ４２としてＲＳＳＩ共有データを受け取ると、受け取ったデータにブロードキャストであることを示すデータを付加して通信部４１に送る。通信部４１は、ＲＳＳＩ共有データを受け取ると受け取ったデータを所定の信号形式に変換して他の無線装置宛に送信する（ステップ１０５）。
【００５７】
第１の無線装置１０および第２の無線装置２０から送信されたＲＳＳＩ共有データは他の無線装置に送られる。第１の無線装置１０および第２の無線装置２０に他の無線装置から送られてきたＲＳＳＩ共有データは通信部４１に入力される（ステップ１０６）。通信部４１は、他の無線装置のＲＳＳＩ共有データを受信すると、受信したデータを通信制御部４２に送る。通信制御部４２は、受け取ったデータが他の無線装置からブロードキャストされたＲＳＳＩ共有データであることを検知すると、受け取ったＲＳＳＩ共有データを端末管理部制御信号Ｓ４１として端末管理部４４の帰属制御部４５に送る。
【００５８】
帰属制御部４５は、端末管理部制御信号Ｓ４１としてＲＳＳＩ共有データを受け取ると受け取ったデータを判断部制御信号Ｓ４３として最適判断部４６に送る。最適判断部４６は、判断部制御信号Ｓ４３としてＲＳＳＩ共有データを受け取ると受け取ったデータを情報共有部制御信号Ｓ４６として信号情報共有部４７に送る。
【００５９】
信号情報共有部４７は、情報共有部制御信号Ｓ４６としてＲＳＳＩ共有データを受け取ると、共有情報保存部４８を参照して受け取ったデータのうち自装置が保存していないデータを抽出する。信号情報共有部４７は、自装置が保存していないデータを抽出すると、抽出したデータを共有情報保存部４８のＲＳＳＩ共有データに追加して保存する（ステップ１０７）。
【００６０】
図５は、本実施形態のＲＳＳＩ共有データのデータテーブルの例を示したものである。図５の例では、無線ＬＡＮアクセスポイントである無線装置のＭＡＣアドレス、無線ＬＡＭ子機である無線端末装置のＭＡＣアドレスおよび各無線装置が受信した無線信号のＲＳＳＩ値が関連づけられて保存されている。
【００６１】
端末管理部４４は、所定の時間が経過するまで他の装置からＲＳＳＩ共有データを待つ状態で待機する（ステップ１０８）。通信端末装置３０の帰属先の判断を開始してから所定の時間が経過すると、最適判断部４６は、無線端末装置３０の最適な帰属先の判断を開始する。無線端末装置３０の最適な帰属先の判断を開始すると、最適判断部４６は、信号情報共有部４７にＲＳＳＩ共有データを要求する信号を情報共有部制御信号Ｓ４６として送る。
【００６２】
信号情報共有部４７は、ＲＳＳＩ共有データを要求する情報共有部制御信号Ｓ４６を受け取ると、共有情報保存部４８からＲＳＳＩ共有データを読み出して、読み出したデータを共有情報信号Ｓ４７として最適判断部４６に送る。
【００６３】
最適判断部４６は、ＲＳＳＩ共有データを取得すると、同一のＭＡＣアドレスの無線端末装置３０のＲＳＳＩ値の中でＲＳＳＩ値が最も大きい無線装置を判断する（ステップ１０９）。ＲＳＳＩ値が最も大きい無線装置が自装置の場合には（ステップ１１０でＹｅｓ）、最適判断部４６は、無線端末装置３０の帰属先として自装置が最も適していると判断する（ステップ１１１）。
【００６４】
最適判断部４６は、無線端末装置３０の最適な帰属先が自装置と判断すると、最適な帰属先が自装置であることを示す情報を帰属制御応答信号Ｓ４４として帰属制御部４５に送る。
【００６５】
帰属制御部４５は、無線端末装置３０の帰属先が自装置であることを示す情報を帰属制御応答信号Ｓ４４として受け取ると、帰属先が自装置であることを示す帰属応答信号のデータを生成する。帰属応答信号のデータを生成すると、帰属制御部４５は、生成したデータを端末管理部応答信号Ｓ４２として通信制御部４２に送る。
【００６６】
通信制御部４２は、端末管理部応答信号Ｓ４２として帰属応答信号のデータを受け取ると、受け取ったデータに送信先となる無線端末装置３０のアドレス情報を付加して、無線通信部４３に送る。無線通信部４３は、帰属応答信号のデータを受け取ると、無線信号に変換して無線端末装置３０に無線送信する（ステップ１１２）。
【００６７】
無線送信された帰属応答信号は、無線端末装置３０に送られる。無線端末装置３０は帰属応答信号を受け取ると、帰属応答信号の送信元の無線装置との間で接続を確立してデータ通信を行う（ステップ１１３）。
【００６８】
ステップ１１０で、ＲＳＳＩ値が最も大きい無線装置が自装置以外であったとき（ステップ１１０でＮｏ）、最適判断部４６は、無線端末装置３０の帰属先として他の装置が適していると判断する（ステップ１１４）。帰属先が他の装置である場合には、最適判断部４６は、帰属先の決定に関する動作を終了する。
【００６９】
図６は、本実施形態の無線通信システムにおける動作をシーケンス図として示したものである。図６に示す通り、本実施形態の無線通信システムでは、始めに無線ＬＡＮ子機である無線端末装置３０が帰属要求をブロードキャストで送信する。無線通信システム内に備えられている各無線ＬＡＮアクセスポイント、すなわち第１の無線装置１０および第２の無線装置２０は、無線端末装置３０からの帰属要求を受信する。
【００７０】
無線ＬＡＮ子機である無線端末装置３０からの帰属要求を受信すると、各無線ＬＡＮアクセスポイントして備えられている無線装置は、それぞれＲＳＳＩ共有データを生成する。各無線ＬＡＮアクセスポイントの無線装置は、ＲＳＳＩ共有データを生成すると、互いにブロードキャストで送信し生成したデータを共有する。各無線ＬＡＮアクセスポイントの無線装置は、所定の時間内に他の無線ＬＡＮアクセスポイントの無線装置から受け取ったデータを自装置で生成したデータに追加してＲＳＳＩ共有データを生成する。
【００７１】
所定の時間が経過すると、各無線ＬＡＮアクセスポイントの無線装置は、帰属要求元の無線端末装置３０の最適な帰属先を判断する。無線端末装置３０の最適な帰属先を判断すると、自装置が最適な帰属先として判断した無線ＬＡＮアクセスポイントの無線装置のみが、帰属要求元の無線端末装置３０に帰属応答を送信する。
【００７２】
図６の例では第１の無線装置１０が、自装置が無線端末装置３０の帰属先として最適であると判断している。また、第２の無線装置２０は、第１の無線装置１０が無線端末装置３０の帰属先として最適であると判断している。図６の例では、自装置が無線端末装置３０の帰属先として最適であると判断した第１の無線装置１０のみが無線端末装置３０に帰属応答を送信している。このような方法で無線端末装置３０の帰属先を決定することで無線端末装置３０は、無線信号が最も強く届いている無線ＬＡＮアクセスポイントに帰属して通信を行うことができる。
【００７３】
本実施形態の無線通信システムでは、無線端末装置３０から送信された帰属要求を基に、第1の無線装置１０および第２の無線装置２０がそれぞれＲＳＳＩ共有データを生成している。また、生成したＲＳＳＩ共有データは互いに送信され、第1の無線装置１０および第２の無線装置２０は、互いに相手側の無線装置が受信した無線端末装置３０のＲＳＳＩ値の情報を反映したＲＳＳＩ共有データを生成する。第1の無線装置１０および第２の無線装置２０は、このように生成したＲＳＳＩ共有データを基に無線端末装置３０の帰属先として最適な無線装置を判断する。
【００７４】
判断の結果、自装置が無線端末装置３０の帰属先として最適であると判断した無線装置は、無線端末装置３０に帰属応答を送信する。また、他の装置が無線端末装置３０の帰属先として最適であると判断した無線装置は、無線端末装置３０に帰属応答を送信しない。そのため、無線端末装置３０は、帰属先として最適な無線装置のみから帰属応答を受信し、送信元の無線装置に帰属する。その結果、無線端末装置３０は、帰属先に無線装置と無線通信を高い通信品質で行うことができる。
【００７５】
本実施形態の無線通信システムでは、無線ＬＡＮアクセスポイントである無線装置側で最適な帰属先を判断するので、無線端末装置３０の側で特別な機能を有する必要が無い。そのため、本実施形態体の無線通信システムでは、無線ＬＡＮ子機である無線端末装置３０の機能や無線帰属ポリシーに依存せずに帰属を管理することができる。また、本実施形態の無線通信システムでは、無線ＬＡＮアクセスポイントの増設時や、新たに無線端末装置３０の使用を開始した場合においても複雑な設定動作を行う必要がない。
【００７６】
以上より、本実施形態の無線通信システムでは、複数のアクセスポイントを備える無線通信システムにおいて無線端末装置を最適なアクセスポイントに帰属先させ高い通信品質を得ることができる。
【００７７】
（第３の実施形態）
本発明の第３の実施形態について図を参照して詳細に説明する。第２の実施形態では、無線信号の周波数帯を考慮せずに信号の強度を基に無線端末装置の帰属先となる無線装置の判断が行われていた。本実施形態の無線通信システムでは、周波数帯域ごとに判断の優先度を設定し、無線端末装置の最適な帰属先の無線装置を決定することを特徴とする。
【００７８】
本実施形態の無線通信システムの構成は、第２の実施形態と同様である。よって、図７を参照して、無線通信装置３０の帰属先が決定される際の動作についてのみ説明を行う。図７は、本実施形態の無線通信システムにおいて無線端末装置３０の帰属先が決定される際の動作フローの概要を示したものである。また、以下では、無線通信システムの構成については図２および図３を参照して説明を行う。
【００７９】
本実施形態のステップ１２１から１２３までの動作、すなわち、無線端末装置３０が帰属要求信号を送信してから、信号情報共有部４７にＲＳＳＩ値等のデータが入力されるまでの動作は、第２の実施形態のステップ１０１から１０３と同様である。
【００８０】
信号情報共有部４７は、情報共有部制御信号Ｓ４６および信号強度信号Ｓ４５を受け取ると、受け取ったＲＳＳＩ値のデータ等を基に、ＲＳＳＩ共有データを生成する（ステップ１２４）。信号情報共有部４７は、ＲＳＳＩ共有データを生成すると、生成したデータを共有情報保存部４８に保存する。本実施形態では、信号情報共有部４７は、ＲＳＳＩ値と、自装置のＭＡＣアドレスと、無線端末装置３０のＭＡＣアドレスおよび無線信号の周波数の情報を関連づけたＲＳＳＩ共有データを生成する。
【００８１】
ＲＳＳＩ共有データを保存すると、信号情報共有部４７は、生成したＲＳＳＩ共有データを最適判断部４６に共有情報信号Ｓ４７として送る。最適判断部４６は、共有情報信号Ｓ４７としてＲＳＳＩ共有データを受け取ると、受け取ったデータを帰属制御応答信号Ｓ４４として帰属制御部４５に送る。帰属制御部４５は、帰属制御応答信号Ｓ４４としてＲＳＳＩ共有データを受け取ると、受け取ったデータを端末管理部応答信号Ｓ４２として通信制御部４２に送る。
【００８２】
通信制御部４２は、端末管理部応答信号Ｓ４２としてＲＳＳＩ共有データを受け取ると、受け取ったデータにブロードキャストであることを示すデータを付加して通信部４１に送る。通信部４１は、ＲＳＳＩ共有データを受け取ると受け取ったデータを所定の信号形式に変換して無線通信システム内の他の無線装置宛に送信する（ステップ１２５）。
【００８３】
第１の無線装置１０および第２の無線装置２０から送信されたＲＳＳＩ共有データは他の無線装置に送られる。第１の無線装置１０および第２の無線装置２０に他の無線装置から送られてきたＲＳＳＩ共有データは通信部４１に入力される（ステップ１２６）。通信部４１は、他の無線装置のＲＳＳＩ共有データを受信すると、受信したデータを通信制御部４２に送る。通信制御部４２は、受け取ったデータが他の無線装置からブロードキャストされたＲＳＳＩ共有データであることを検知すると、受け取ったＲＳＳＩ共有データを端末管理部制御信号Ｓ４１として端末管理部４４の帰属制御部４５に送る。
【００８４】
帰属制御部４５は、端末管理部制御信号Ｓ４１としてＲＳＳＩ共有データを受け取ると受け取ったデータを判断部制御信号Ｓ４３として最適判断部４６に送る。最適判断部４６は、判断部制御信号Ｓ４３としてＲＳＳＩ共有データを受け取ると受け取ったデータを情報共有部制御信号Ｓ４６として信号情報共有部４７に送る。
【００８５】
信号情報共有部４７は、情報共有部制御信号Ｓ４６としてＲＳＳＩ共有データを受け取ると、共有情報保存部４８を参照して受け取ったデータのうち自装置が保存していないデータを抽出する。信号情報共有部４７は、自装置が保存していないデータを抽出すると、抽出したデータを共有情報保存部４８のＲＳＳＩ共有データに追加して保存する（ステップ１２７）。
【００８６】
端末管理部４４は、所定の時間が経過するまで他の装置からＲＳＳＩ共有データを待つ状態で待機する（ステップ１２８）。通信端末装置３０の帰属先の最適判断を開始してから所定の時間が経過すると、最適判断部４６は、無線端末装置３０の最適な帰属先の判断を開始する。無線端末装置３０の最適な帰属先の判断を開始すると、最適判断部４６は、信号情報共有部４７にＲＳＳＩ共有データを要求する信号を情報共有部制御信号Ｓ４６として送る。
【００８７】
信号情報共有部４７は、ＲＳＳＩ共有データを要求する情報共有部制御信号Ｓ４６を受け取ると、共有情報保存部４８からＲＳＳＩ共有データを読み出して、読み出したデータを共有情報信号Ｓ４７として最適判断部４６に送る。
【００８８】
ＲＳＳＩ共有データを取得すると、最適判断部４６は、ＲＳＳＩ値を無線周波数ごとに所定の基準で重みづけする（ステップ１２９）。本実施形態では、最適判断部４６は、無線周波数ごとにあらかじめ設定された基準値に基づいて規格化することで無線周波数ごとの重みづけを行う。ＲＳＳＩ値の重みづけは、無線周波数ごとのＲＳＳＩ値の最大値を基に行ってもよい。また、無線周波数ごとにあらかじめ設定された値をＲＳＳＩ値に付加することで重みづけが行われてもよい。
【００８９】
図８は、本実施形態のＲＳＳＩ共有データのデータテーブルの例を示したものである。図８の例では、無線装置のＭＡＣアドレス、無線端末装置のＭＡＣアドレス、無線周波数、各無線装置が受信した無線信号のＲＳＳＩ値、および重みづけを行ったＲＳＳＩの補正値が互いに関連づけられて保存されている。
【００９０】
最適判断部４６は、ＲＳＳＩ値の規格化を行うと規格化後のＲＳＳＩ値が最も大きい無線装置と無線周波数を判断する（ステップ１３０）。ＲＳＳＩ値が最も大きい無線装置が自装置のいずれかの値である場合には（ステップ１３１でＹｅｓ）、最適判断部４６は、無線端末装置３０の帰属先として自装置が最も適していると判断する（ステップ１３２）。最適判断部４６は、無線端末装置３０の最適な帰属先を判断すると、最適な帰属先が自装置であることを示す情報と無線周波数を帰属制御応答信号Ｓ４４として帰属制御部４５に送る。
【００９１】
帰属制御部４５は、無線端末装置３０の帰属先が自装置であることを示す情報と無線周波数を帰属制御応答信号Ｓ４４として受け取ると、無線周波数の情報と帰属先が自装置であることを示す帰属応答信号のデータを生成する。帰属応答信号のデータを生成すると、帰属制御部４５は、生成したデータを端末管理部応答信号Ｓ４２として通信制御部４２に送る。
【００９２】
通信制御部４２は、端末管理部応答信号Ｓ４２として帰属応答信号のデータを受け取ると、受け取ったデータに送信先となる無線端末装置３０のアドレス情報を付加して、無線通信部４３に送る。無線通信部４３は、帰属応答信号のデータを受け取ると、無線信号に変換して無線端末装置３０に無線送信する（ステップ１３３）。
【００９３】
無線送信された帰属応答信号は、無線端末装置３０に送られる。無線端末装置３０は帰属応答信号を受け取ると、帰属応答信号の送信元の無線装置との間で指定された無線周波数で接続を確立してデータ通信を行う（ステップ１３４）。
【００９４】
ステップ１３１でＲＳＳＩ値が最も大きい無線装置が自装置以外であったとき（ステップ１３２でＮｏ）、最適判断部４６は、無線端末装置３０の帰属先として他の装置が適していると判断する（ステップ１３５）。帰属先が他の装置である場合には、最適判断部４６は、帰属先の決定に関する動作を終了する。
【００９５】
本実施形態の無線通信システムは、第２の実施形態と同様の効果を得ることができる。また、本実施形態の無線通信システムでは、第１の無線装置１０および第２の無線装置２０は、互いに共有した無線信号のＲＳＳＩ値を無線周波数ごと設定された基準に基づいて重みづけを行っている。第１の無線装置１０および第２の無線装置２０は、重みづけを行って補正した後のＲＳＳＩ値を基に無線端末装置３０の最適な帰属先を判断している。そのため、第１の無線装置１０および第２の無線装置２０は、無線周波数が異なっている場合においても、無線端末装置３０の最適な帰属先を判断することができる。その結果、本実施形態の無線通信システムでは、無線端末装置３０の最適な帰属先をより正確に判断することができる。
【００９６】
（第４の実施形態）
本発明の第４の実施形態について図を参照して詳細に説明する。第２および第３の実施形態の無線通信システムでは、帰属先の判断を開始してから所定の時間に送受信される無線信号を基に帰属先の決定が行われていた。本実施形態では、無線通信ネットワーク内にあるすべての無線装置からのデータが収集されたときに、帰属先の判断が行われることを特徴とする。
【００９７】
本実施形態の無線通信システムの構成は、第２の実施形態と同様である。よって、図９を参照して、無線通信装置の帰属先が決定される際の動作についてのみ説明を行う。図９は、本実施形態の無線通信システムにおいて無線端末装置３０の帰属先が決定される際の動作フローの概要を示したものである。また、以下では、無線通信システムの構成については、図２および図３を参照して説明を行う。本実施形態の無線装置４０の最適判断部４６は、無線通信ネットワーク内にある無線装置のＭＡＣアドレス等の情報をあらかじめ保存している。
【００９８】
本実施形態のステップ１４１から１４５までの動作、すなわち、無線端末装置３０が帰属要求信号を送信してから、ＲＳＳＩ共有データを他の無線装置に送信するまでの動作は、第２の実施形態のステップ１０１から１０５と同様である。
【００９９】
第１の無線装置１０および第２の無線装置２０は、他の無線装置から送られてくるＲＳＳＩ共有データを通信部４１において受信する（ステップ１４６）。通信部４１は、他の無線装置のＲＳＳＩ共有データを受信すると、受信したデータを通信制御部４２に送る。通信制御部４２は、受け取ったデータが他の無線装置からブロードキャストされたＲＳＳＩ共有データであることを検知すると、受け取ったＲＳＳＩ共有データを端末管理部制御信号Ｓ４１として端末管理部４４の帰属制御部４５に送る。
【０１００】
帰属制御部４５は、端末管理部制御信号Ｓ４１としてＲＳＳＩ共有データを受け取ると受け取ったデータを判断部制御信号Ｓ４３として最適判断部４６に送る。最適判断部４６は、判断部制御信号Ｓ４３としてＲＳＳＩ共有データを受け取ると、受け取ったデータを情報共有部制御信号Ｓ４６として信号情報共有部４７に送る。
【０１０１】
信号情報共有部４７は、情報共有部制御信号Ｓ４６としてＲＳＳＩ共有データを受け取ると、共有情報保存部４８を参照して受け取ったデータのうち自装置が保存していないデータを抽出する。信号情報共有部４７は、自装置が保存していないデータを抽出すると、抽出したデータを共有情報保存部４８のＲＳＳＩ共有データに追加して保存する（ステップ１４７）。
【０１０２】
信号情報共有部４７が自装置に保存されていないデータを抽出し、抽出したデータを共有情報保存部４８のＲＳＳＩ共有データに追加して保存すると、最適判断部４６は、すべての無線装置の情報が保存されたかを判断する。まだ、ＲＳＳＩ共有データを受け取っていない無線装置がある場合は（ステップ１４８でＮｏ）、最適判断部４６は、次にＲＳＳＩ共有データが送られてくるまで待機する。ＲＳＳＩ共有データを受信すると、無線装置４０は、ステップ１４６からの動作を行う。
【０１０３】
すべての無線装置からＲＳＳＩ共有データを受け取っている場合には（１４８でＹｅｓ）、最適判断部４６は、無線端末装置３０の最適な帰属先の判断を開始する。無線端末装置３０の最適な帰属先の判断を開始すると、最適判断部４６は信号情報共有部４７にＲＳＳＩ共有データを要求する信号を情報共有部制御信号Ｓ４６として送る。
【０１０４】
信号情報共有部４７は、ＲＳＳＩ共有データを要求する情報共有部制御信号Ｓ４６を受け取ると、共有情報保存部４８からＲＳＳＩ共有データを読み出して、読み出したデータを共有情報信号Ｓ４７として最適判断部４６に送る。
【０１０５】
最適判断部４６は、ＲＳＳＩ共有データを取得すると、同一のＭＡＣアドレスの無線端末装置３０のＲＳＳＩ値の中でＲＳＳＩ値が最も大きい無線装置を判断する（ステップ１４９）。ステップ１４９以降の動作は、第２の実施形態のステップ１０５からステップ１１４と同様に行われる。すなわち、帰属先となる無線装置４０は、無線端末装置３０に帰属応答信号を送信し、無線通信を行う。
【０１０６】
図１０は、本実施形態の無線通信システムにおける動作をシーケンス図として示したものである。図１０に示す通り、本実施形態の無線通信システムでは、始めに無線ＬＡＮ子機である無線端末装置３０が帰属要求をブロードキャストで送信する。無線通信システム内に備えられている各無線ＬＡＮアクセスポイント、すなわち第１の無線装置１０および第２の無線装置２０は、無線端末装置３０からの帰属要求を受信する。
【０１０７】
無線ＬＡＮ子機である無線端末装置３０からの帰属要求を受信すると、各無線ＬＡＮアクセスポイントして備えられている無線装置は、それぞれＲＳＳＩ共有データを生成する。各無線ＬＡＮアクセスポイントの無線装置は、ＲＳＳＩ共有データを生成すると、互いにブロードキャストで送信して生成したデータを共有する。各無線ＬＡＮアクセスポイントの無線装置は、無線通信システム内に備えられている他の全ての無線装置からＲＳＳＩ共有データ受け取るまで待機する。
【０１０８】
他の全ての無線装置からＲＳＳＩ共有データ受け取るまで待機する構成とした場合にも、ＲＳＳＩ共有データ受け取りの待機状態は、所定の時間経過するまでとしてもよい。所定の時間で区切ることで無線端末装置３０からの帰属要求が届かなかった無線ＬＡＮアクセスポイントの無線装置があった場合にも対応することができる。
【０１０９】
全ての無線装置からＲＳＳＩ共有データ受け取ると、各無線ＬＡＮアクセスポイントの無線装置は、帰属要求元の無線端末装置３０の最適な帰属先を判断する。無線端末装置３０の最適な帰属先を判断すると、自装置が最適な帰属先として判断した無線ＬＡＮアクセスポイントの無線装置のみが、帰属要求元の無線端末装置３０に帰属応答を送信する。このような方法で無線端末装置３０の帰属先を決定することで無線端末装置３０は、無線信号が最も強く届いている無線ＬＡＮアクセスポイントに短時間で帰属して、無線通信を開始することができる。
【０１１０】
本実施形態の無線通信システムにおいても、第３の実施形態と同様に無線周波数ごとの重みづけを行ったＲＳＳＩ値を基に最適な帰属先の判断を行ってもよい。
【０１１１】
本実施形態の無線通信システムは、第２の実施形態と同様の効果を得ることができる。また、本実施形態の無線通信システムでは、第１の無線装置１０および第２の無線装置２０は、無線通信システム内の全ての無線装置からＲＳＳＩ共有データを取得しときに、無線端末装置３０の最適な帰属先の判断を開始している。他の無線装置から送られてくるＲＳＳＩ共有データを所定の時間待つ場合には、確実にデータを受信するために他の無線装置からＲＳＳＩ共有データが送られてくるために要する時間にマージンを見込む必要がある。本実施形態では、無線通信システム内の全ての無線装置からＲＳＳＩ共有データを取得しときに、最適な帰属先の判断を開始しているので帰属応答を無線端末装置３０に送信するまでの時間を短縮化することが可能になる。そのため、本実施形態の無線通信システムでは、無線装置と無線端末装置３０の間の接続の確立に要する時間を短くし、早期に無線通信を行うことが可能になる。
【符号の説明】
【０１１２】
１    無線通信手段
２    共有情報保存手段
３    情報共有手段
４    判断手段
５    帰属応答手段
１０    第１の無線装置
２０    第２の無線装置
３０    無線端末装置
４０    無線装置
４１    通信部
４２    通信制御部
４３    無線通信部
４４    端末管理部
４５    帰属制御部
４６    最適判断部
４７    信号情報共有部
４８    共有情報保存部
Ｓ４１    端末管理部制御信号
Ｓ４２    端末管理部応答信号
Ｓ４３    判断部制御信号
Ｓ４４    帰属制御応答信号
Ｓ４５    信号強度信号
Ｓ４６    情報共有部制御信号
Ｓ４７    共有情報信号
【図１】
2017022556.tif 000003
【図２】
2017022556.tif 000004
【図３】
2017022556.tif 000005
【図４】
2017022556.tif 000006
【図５】
2017022556.tif 000007
【図６】
2017022556.tif 000008
【図７】
2017022556.tif 000009
【図８】
2017022556.tif 000010
【図９】
2017022556.tif 000011
【図１０】
2017022556.tif 000012